(57)【要約】【課題】携帯型電子機器の電源を外部ユニットとしての例えばチューナーにも供給できるようにし、かつ、この場合、電力消費が低減できるような工夫を施し、電源の管理の便利性と低消費電力化を得られるようにする。【解決手段】電源部を有する電子機器と、この電子機器に設けられた外部信号入力端子及び電源出力端子と、前記外部信号入力端子の信号入力を許可したときに、前記電源出力端子に前記電源部からの電源を供給する電源出力制御部とを備える。【選択図】      図３
2006222891.tif 000002
【特許請求の範囲】
【請求項１】
電源部を有する電子機器と、
この電子機器に設けられた外部信号入力端子及び電源出力端子と、
前記外部信号入力端子の信号入力を許可したときに、前記電源出力端子に前記電源部からの電源を供給する電源出力制御部と
を具備したことを特徴とする携帯型映像信号処理装置。
【請求項２】
前記外部信号入力端子及び電源出力端子に接続される外部ユニットは、チューナーであることを特徴とする請求項１記載の携帯型映像信号処理装置。
【請求項３】
前記外部信号入力端子は、外部映像・音声入力部であることを特徴とする請求項１記載の携帯型映像信号処理装置。
【請求項４】
前記電力出力制御部は、前記外部ユニットに電源供給するために、外部映像・音声入力端子からの入力信号を選択し、かつ、外部映像・音声入力端子と電源端子の両方にコネクタが挿入された状態を判定する手段を有することを特徴とする請求項１記載の携帯型映像信号処理装置。
【請求項５】
内部電源部を有する電子機器に対して、外部ユニットがケーブルを介して電気的に接続されるように、前記電子機器を制御する接続制御方法において、
前記内部電源部の電源スイッチをオンする第１のステップと、
前記外部ユニットを使用するモード指定があったときに初めて、前記外部ユニットの電源ケーブルを接続する電源端子に対して、内部電源部の電源を前記外部ユニットに供給する第２のステップと
を具備したことを特徴とする外部ユニット接続制御方法。
【請求項６】
前記第２のステップでは、前記外部ユニットを使用するモード指定があったときに、前記外部ユニットと電子機器間の必要なケーブルが接続されているかどうかをチックするステップを含み、必要なケーブルが接続されていることを検出したときのみ、前記電源端子に対して、前記内部電源部の電源を供給することを特徴とする請求項５記載の外部ユニット接続制御方法。
【発明の詳細な説明】
【技術分野】
【０００１】
本発明は、携帯型映像表示装置とその外部ユニット接続制御方法に関するもので、例えばＤＶＤ（Digital Versatile Disk）プレーヤー、或いはＰＤＡ（Personal Digital Assistance）、或いはパーソナルコンピュータなどに適用されて有効な発明である。
【背景技術】
【０００２】
パーソナルコンピュータにチューナーを接続可能にした技術が開発されている（例えば特許文献１参照）。これによりパーソナルコンピュータの表示画面で、テレビ番組を視聴できる。
【特許文献１】特開平７−１５４２７４号公報
【発明の開示】
【発明が解決しようとする課題】
【０００３】
ところで、パーソナルコンピュータなどのように携帯型の電子機器では、電源としてバッテリーを用いるようになっている。また近年では、ＤＶＤプレーヤーも開発され携帯型の商品が販売されるようになった。このＤＶＤプレーヤーにおいてもバッテリーが用いられる。このＤＶＤプレーヤーに対してもチューナーを接続し、テレビ番組を視聴したいという要望がある。
【０００４】
しかしながらＤＶＤプレーヤーのような携帯型電子機器にチューナーを接続可能とした場合、両者に対して電源を供給する必要がある。このために、両者にバッテリーを格納できるようにした場合、バッテリーの管理が複雑で不便である。
【０００５】
そこでこの発明では、携帯型電子機器のバッテリーを外部ユニットとしての例えばチューナーにも供給できるようにし、かつ、この場合、電力消費が低減できるような工夫を施し、バッテリーの管理の便利性と低消費電力化を得られるようにした携帯型映像表示装置を提供することを目的とする。
【課題を解決するための手段】
【０００６】
この発明に係る実施形態では、電源部を有する電子機器と、この電子機器に設けられた外部信号入力端子及び電源出力端子と、前記外部信号入力端子の信号入力が許可されたときに、前記電源出力端子に前記電源部からの電源を供給する電源出力制御部とを有する。
【発明の効果】
【０００７】
上記の手段により、外部装置（例えばチューナ）に供給するための電源は、必要なときのみであり、電力消費の軽減とともに、電源部は電子機器に設けるのみであり、電池の管理が容易になる。
【発明を実施するための最良の形態】
【０００８】
以下、図面を参照してこの発明の実施の形態を説明する。図１には、この発明が適用された例えば携帯型ＤＶＤプレーヤー１００を示している。この携帯型ＤＶＤプレーヤー１００には、チューナー１０を接続することが可能である。
【０００９】
なお図では、携帯型ＤＶＤプレーヤー１００とチューナー１０の関係を示して説明するが、本発明の技術思想は、携帯型ＤＶＤプレーヤー１００とチューナー１０の関係に限定されるものではなく、一般に映像を表示する携帯型電子機器（映像表示装置）と、この電子機器に接続される電源を必要とするユニットとの関係があれば、適用可能である。
【００１０】
携帯型ＤＶＤプレーヤー１００は、ＤＶＤ再生時にはその表示部２に映像を表示し、スピーカー５から音声を出力する。また、携帯型ＤＶＤプレーヤー１００の側面には、図２に示すような映像・音声入力端子３と電源端子４を有する。また、６は、映像信号出力端子であり、７は、本体の電源スイッチである。外部から映像・音声入力端子３を介して入力された映像・音声信号を再生し、表示部２とスピーカー５に出力することができる。携帯型ＤＶＤプレーヤー１００にて、ＤＶＤを再生するか、又は外部入力信号を取り込み、外部入力からの映像・音声を携帯型ＤＶＤプレーヤー１００で再生するかは携帯型ＤＶＤプレーヤー１００のモードで制御する。
【００１１】
ケーブル１３は、外部ユニット（例えばチューナ）１０からの映像・音声信号を携帯型ＤＶＤプレーヤー１００に導くラインである。ケーブル１４は、携帯型ＤＶＤプレーヤー１００から、外部ユニット（例えばチューナ）１０に電源を供給するラインである。
【００１２】
今、外部ユニット１０がＴＶチューナーである場合を説明する。アンテナ１１からのＲＦ受信信号を、アンテナケーブル１２を介してＴＶチューナー１０に入力する。ＴＶチューナー１０では、ＲＦ信号を復調し、映像と音声のベースバンド信号を出力する。映像・音声出力信号は、ケーブル１３を介して携帯型ＤＶＤプレーヤー１００に入力され、表示部２とスピーカー５に再生出力される。携帯型ＤＶＤプレーヤー１００は、代表として示しておりＰＤＡなどの携帯型情報機器であってもよい。このチューナー１０には、電源スイッチ１０Ａを設けてもよい。
【００１３】
図３には、上記携帯型ＤＶＤプレーヤー１００の内部の機能ブロックを示している。２０は、ＤＶＤ再生装置であり、光ヘッド及びデコーダ部、ディスク装填部、ディスク回転制御部などを含む。ディスクから読み出されて再生された信号は、モード切換え部２１の一方の入力部に供給される。このモード切換え部２１で選択された映像信号は表示部２に供給され、音声信号はスピーカー５に供給される。
【００１４】
モード切換え部２１の他方の入力部には、映像・音声入力端子３が接続されている。したがって、モード切換え部２１は外部からの映像・音声信号をそれぞれ表示部２、スピーカー５に供給することができる。２２は電源部である。ここには電池を装填することができる。電源部２２の電源出力端子は、装置内部の各機能ブロック部に接続される（図では省略している）。また特別な経路として、電源部２２の電源端子は、オンオフ制御可能なスイッチ（図示せず）を介して電源端子４に接続されている。電源端子４に、電源を供給するかしないかは、制御部２３からの制御信号によって決定される。
【００１５】
制御部２３は、モード制御処理部２４、コネクタ挿入検出処理部２５を含む。モード制御処理部２４は、操作部２６からの操作信号及び装置内部の状態検出信号に応じて、装置の動作状態を設定する。このときの動作については、後で、図４のフローチャートを参照して説明する。
【００１６】
また、映像・音声コネクタ挿入検出部１６と電源コネクタ挿入検出部１５が設けられている。この映像・音声コネクタ挿入検出部１６と電源コネクタ挿入検出部１５は、映像・音声入力端子３と電源端子４両方のコネクタにケーブル１３と１４が挿入されていることを検出する。検出された映像・音声コネクタ検出信号１８と電源コネクタ検出信号１７は、制御部（ＣＰＵ）２３に入力する。モード制御処理部２４は、コネクタ検出信号を受けたコネクタ挿入検出処理部２５の出力に応答して、モード制御信号２７を制御する。このときの動作は、図５のフローチャートを参照して説明する。
【００１７】
モード切換部２１は、操作部２６の信号を受けるモード制御処理部２４からのモード制御信号２７にて制御される。同時にモード制御信号２７は電源部２２から電源端子４への電源供給も制御する。
【００１８】
上記のシステムでは、ＴＶチューナー１０は、携帯型ＤＶＤプレーヤー１００の電源端子４から電源供給を受けることにより、ＴＶチューナー１０に直接電源を供給する必要がない。このため、バッテリーで動作している携帯型ＤＶＤプレーヤー１００とＴＶチューナー１０を一緒に携帯することが容易となる。
【００１９】
本発明では、携帯型ＤＶＤプレーヤーが外部入力を再生するモードのときだけ電源端子４に電源を供給する。ＤＶＤ再生時には外部ユニット１０は動作させる必要がなく、よって電源端子４への電源供給を行う必要が無い。このことにより消費電力の低減をはかることができる。
【００２０】
また、ＴＶチューナー１０が正常に接続されていない場合には、電源端子４に電圧が現れることはない。このために、電源端子４に対して不要な導電物が接触して事故を招くことも防止され、製品の安全性が保障される。
【００２１】
ここでは外部ユニットをＴＶチューナー１０として説明したが、これに限定するものではない。例えば、ラジオ受信機など映像や音声を出力するものであれば、同様の効果を得ることができる。外部映像・音声入力端子３は、1つのコネクタで映像と音声を伝送できるものであるが、これに限定するものではなく、映像と音声が別々のコネクタであっても、映像・音声・電源全てが同一のコネクタで接続できる構成であっても同様の効果を得ることができる。さらにはＵＳＢ（ユニバーサルシリアルバス）を用いた接続端子であってもよい。
【００２２】
また、前記実施例では、電源部２２はバッテリー（電池）として説明したが、ＡＣアダプタ等を用いた電源装置でも良い。
【００２３】
図４には、制御部２３を中心としてこの装置の動作例をフローチャートで示している。図１のような接続がなされているとする。まず、ステップＳ３１で携帯型ＤＶＤプレーヤーの電源を入れる。ステップＳ３２で携帯型ＤＶＤプレーヤーのモードの判定を行う。外部入力モードであればステップＳ３３へ、それ以外のモードであればステップＳ３７（電源端子４への電源供給なし）へ進む。
【００２４】
ステップＳ３３では外部電源端子４に電源を供給する。すると次のステップＳ３４で外部ユニット（ＴＶチューナー）１０が動作を開始し、ステップＳ３５の映像音声表示で携帯型ＤＶＤプレーヤーにＴＶチューナーの映像・音声出力が再生される。
【００２５】
一方、ステップＳ３２の判定結果が外部入力モード以外の場合、ステップＳ３７に移行し、電源端子４には電源を供給しない。よって、次のステップＳ３８で外部ユニット１０は動作せず、消費電力の低減を図ることができる。
【００２６】
図５は、この発明に係る装置の他の動作例を示すフローチャートである。ここでも図１のような接続がなされているとする。図４のフローチャートとの違いは、ステップＳ３２とステップＳ３３との間に、ステップＳ４０の処理が入っていることである。ステップＳ３２での判定結果が外部入力モードの場合、ステップＳ４０で映像・音声入力端子３と電源端子４両方のコネクタにケーブル１３と１４が挿入されていることを検出する。両方が挿入されている場合に限り、外部ユニット１０を動作させるためステップＳ３４で電源端子４に電源を供給する。どちらか一方しか挿入されていない場合には、ステップＳ３７へ進み電源は供給されない。このことにより、外部入力モード時に誤って電源端子を使用してしまうことを防ぐことができる。
【００２７】
つまり接続ケーブル或いは接続端子が正しい状態で使用されているか否かを検出して、正しい状態で使用されているときのみ、電源供給及び信号取り込みが実行される。
【００２８】
上述したように図４に示した動作機能の設定では、外部ユニットからの映像・音声信号を表示しない場合には、外部電源端子に電源を供給しないため、消費電力の低減をはかることができる。また図５に示した動作機能の設定ではさらに、外部ユニットが実際に動作する場合にのみ電源を供給するため、誤使用防止により安全面の向上をはかることができる。
【００２９】
上記したようにこの発明では、外部ユニットの接続制御方法としても特徴を有する。即ち、内部電源部を有する電子機器に対して、外部ユニットがケーブルを介して電気的に接続されるように、前記電子機器を制御する接続制御方法である。ここで内部電源部の電源スイッチをオンする第１のステップと、前記外部ユニットを使用するモード指定があったときに初めて、前記外部ユニットの電源ケーブルを接続する電源端子に対して、内部電源部の電源出力を導出し、前記外部ユニットに供給する第２のステップとを有する。
【００３０】
また第２のステップでは、外部ユニットを使用するモード指定があったときに、前記外部ユニットと電子機器間の必要なケーブルが接続されているかどうかをチックするステップを含み、必要なケーブルが接続されていることを検出したときのみ、前記電源端子に対して、前記内部電源部の電源出力を導出する。
【００３１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３２】
【図１】この発明に係る携帯型映像信号処理装置の一実施の形態を示す概略図である。
【図２】図１に示した装置の側面を示す説明図である。
【図３】図１に示す装置の内部の機能ブロックを示す図である。
【図４】この発明に係る装置の動作例を説明するために示したフローチャートである。
【図５】この発明に係る装置の他の動作例を説明するために示したフローチャートである。
【符号の説明】
【００３３】
２…表示部、３…外部映像・音声入力端子、４…電源端子、５…スピーカー、１０…外部ユニット(ＴＶチューナー)、１１…アンテナ、１２…アンテナケーブル、１４…電源ケーブル、１３…映像・音声ケーブル、１５…電源コネクタ挿入検出部、１６…映像・音声コネクタ挿入検出部、１７…電源コネクタ検出信号、１８…映像・音声コネクタ検出信号、２０…再生装置、２１…モード切換部、２２…電源部、２３…制御部（ＣＰＵ）、２４…モード制御処理部、２５…コネクタ挿入検出処理部、２６…操作部、２７…モード制御信号。
【図１】
2006222891.tif 000003
【図２】
2006222891.tif 000004
【図３】
2006222891.tif 000005
【図４】
2006222891.tif 000006
【図５】
2006222891.tif 000007